【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
印刷データに基づく画像を印刷媒体に印刷する印刷装置であって、
印刷データ、及び当該印刷データに基づく画像が印刷される印刷媒体の属性を指定するための第１媒体パラメータを外部装置から受信する受信手段と、
前記受信手段により受信された印刷データに基づく画像が印刷される印刷媒体の属性を指定するための第２媒体パラメータを、当該印刷データから抽出する抽出手段と、
前記受信手段により受信された印刷データに基づく画像を印刷媒体に印刷する印刷手段と、
前記印刷装置にセットされている印刷媒体の属性を判定する判定手段と、を有し、
前記印刷手段は、前記第２媒体パラメータが指定する属性に対応する印刷媒体が当該印刷装置にセットされておらず、前記第１媒体パラメータが指定する属性に対応する印刷媒体が当該印刷装置にセットされていると判定された場合に、前記受信手段により受信された印刷データに基づく画像を、前記第１媒体パラメータが指定する属性に従って、当該属性に対応する印刷媒体に印刷する
ことを特徴とする印刷装置。
【請求項２】
前記受信手段は、前記抽出手段により抽出された前記第２媒体パラメータが指定する属性とは異なる属性を有する印刷媒体を使用した印刷を禁止する禁止指示を、前記外部装置から更に受信し、
前記印刷手段は、前記受信手段により前記禁止指示が受信されて、前記第２媒体パラメータが指定する属性に対応する印刷媒体が当該印刷装置にセットされておらず、前記第１媒体パラメータが指定する属性と前記第２媒体パラメータが指定する属性とが異なる場合であっても、前記受信手段により受信された印刷データに基づく画像を、前記第１媒体パラメータが指定する属性に従って、当該属性に対応する印刷媒体に印刷することを特徴とする請求項１に記載の印刷装置。
【請求項３】
ユーザによる指示に応じて、前記印刷装置にセットされる印刷媒体の属性を前記印刷装置に登録する登録手段を有し、
前記判定手段は、前記登録手段により登録された印刷媒体の属性に基づき、前記印刷装置にセットされている印刷媒体の属性を判定することを特徴とする請求項１または２に記載の印刷装置。
【請求項４】
前記印刷装置にセットされている印刷媒体の属性を検知する検知手段を有し、
前記判定手段は、前記検知手段により検知された印刷媒体の属性に基づき、前記印刷装置にセットされている印刷媒体の属性を判定することを特徴とする請求項１または２に記載の印刷装置。
【請求項５】
前記判定手段により、前記第１媒体パラメータが指定する属性に対応する印刷媒体と、前記第２媒体パラメータが指定する属性に対応する印刷媒体との両方とも当該印刷装置にセットされていないと判定された場合に、前記受信手段が受信した前記印刷データに基づく印刷を行わないように前記印刷手段を制御することを特徴とする請求項２に記載の印刷装置。
【請求項６】
前記判定手段により、前記第１媒体パラメータが指定する属性に対応する印刷媒体と、前記第２媒体パラメータが指定する属性に対応する印刷媒体との両方とも当該印刷装置にセットされていないと判定された場合に、前記第１媒体パラメータが指定する属性、及び前記第２媒体パラメータが指定する属性の少なくとも一方をユーザに通知する通知手段を更に備えることを特徴とする請求項５に記載の印刷装置。
【請求項７】
前記印刷データは、ＸＨＴＭＬプリント規格に準拠したデータであることを特徴とする請求項１乃至６のいずれか１項に記載の印刷装置。
【請求項８】
前記第１媒体パラメータと前記第２媒体パラメータは、印刷媒体のサイズを指定するためのパラメータであることを特徴とする請求項１乃至７のいずれか１項に記載の印刷装置。
【請求項９】
印刷データに基づく画像を印刷媒体に印刷する印刷装置の制御方法であって、
前記印刷装置の受信手段が、印刷データ、及び当該印刷データに基づく画像が印刷される印刷媒体の属性を指定するための第１媒体パラメータを外部装置から受信する受信工程と、
前記印刷装置の抽出手段が、前記受信工程において受信された印刷データに基づく画像が印刷される印刷媒体の属性を指定するための第２媒体パラメータを、当該印刷データから抽出する抽出工程と、
前記印刷装置の印刷手段が、前記受信工程において受信された印刷データに基づく画像を印刷媒体に印刷する印刷工程と、
前記印刷装置の判定手段が、前記印刷装置にセットされている印刷媒体の属性を判定する判定工程と、を有し、
前記印刷手段は前記印刷工程において、前記第２媒体パラメータが指定する属性に対応する印刷媒体が当該印刷装置にセットされておらず、前記第１媒体パラメータが指定する属性に対応する印刷媒体が当該印刷装置にセットされていると判定された場合に、前記受信工程において受信された印刷データに基づく画像を、前記第１媒体パラメータが指定する属性に従って、当該属性に対応する印刷媒体に印刷する
ことを特徴とする制御方法。
【請求項１０】
コンピュータに、請求項９に記載の制御方法の各工程を実行させるためのプログラム。
【手続補正２】
【補正対象書類名】明細書
【補正対象項目名】発明の名称
【補正方法】変更
【補正の内容】
【発明の名称】印刷装置、印刷装置の制御方法、およびプログラム
【手続補正３】
【補正対象書類名】明細書
【補正対象項目名】０００１
【補正方法】変更
【補正の内容】
【０００１】
本発明は、印刷データに基づく画像を印刷媒体に印刷する印刷装置、印刷装置の制御方法、およびプログラムに関する。
【手続補正４】
【補正対象書類名】明細書
【補正対象項目名】００１２
【補正方法】削除
【補正の内容】
【手続補正５】
【補正対象書類名】明細書
【補正対象項目名】００１６
【補正方法】変更
【補正の内容】
【００１６】
本発明はこのような状況に鑑みてなされたものであり、ユーザが意図していない印刷媒体の属性に従って印刷が行われてしまうことを低減させるための技術を提供することを目的とする。
【手続補正６】
【補正対象書類名】明細書
【補正対象項目名】００１７
【補正方法】変更
【補正の内容】
【００１７】
上記課題を解決するために、第１の本発明は、印刷データに基づく画像を印刷媒体に印刷する印刷装置であって、印刷データ、及び当該印刷データに基づく画像が印刷される印刷媒体の属性を指定するための第１媒体パラメータを外部装置から受信する受信手段と、前記受信手段により受信された印刷データに基づく画像が印刷される印刷媒体の属性を指定するための第２媒体パラメータを、当該印刷データから抽出する抽出手段と、前記受信手段により受信された印刷データに基づく画像を印刷媒体に印刷する印刷手段と、前記印刷装置にセットされている印刷媒体の属性を判定する判定手段と、を有し、前記印刷手段は、前記第２媒体パラメータが指定する属性に対応する印刷媒体が当該印刷装置にセットされておらず、前記第１媒体パラメータが指定する属性に対応する印刷媒体が当該印刷装置にセットされていると判定された場合に、前記受信手段により受信された印刷データに基づく画像を、前記第１媒体パラメータが指定する属性に従って、当該属性に対応する印刷媒体に印刷することを特徴とする印刷装置を提供する。
【手続補正７】
【補正対象書類名】明細書
【補正対象項目名】００１８
【補正方法】変更
【補正の内容】
【００１８】
また、第２の本発明は、印刷データに基づく画像を印刷媒体に印刷する印刷装置の制御方法であって、前記印刷装置の受信手段が、印刷データ、及び当該印刷データに基づく画像が印刷される印刷媒体の属性を指定するための第１媒体パラメータを外部装置から受信する受信工程と、前記印刷装置の抽出手段が、前記受信工程において受信された印刷データに基づく画像が印刷される印刷媒体の属性を指定するための第２媒体パラメータを、当該印刷データから抽出する抽出工程と、前記印刷装置の印刷手段が、前記受信工程において受信された印刷データに基づく画像を印刷媒体に印刷する印刷工程と、前記印刷装置の判定手段が、前記印刷装置にセットされている印刷媒体の属性を判定する判定工程と、を有し、前記印刷手段は前記印刷工程において、前記第２媒体パラメータが指定する属性に対応する印刷媒体が当該印刷装置にセットされておらず、前記第１媒体パラメータが指定する属性に対応する印刷媒体が当該印刷装置にセットされていると判定された場合に、前記受信工程において受信された印刷データに基づく画像を、前記第１媒体パラメータが指定する属性に従って、当該属性に対応する印刷媒体に印刷することを特徴とする制御方法を提供する。
【手続補正８】
【補正対象書類名】明細書
【補正対象項目名】００２０
【補正方法】変更
【補正の内容】
【００２０】
以上の構成により、本発明によれば、ユーザが意図していない印刷媒体の属性に従って印刷が行われてしまうことを低減させることが可能となる。
【手続補正９】
【補正対象書類名】明細書
【補正対象項目名】０１２５
【補正方法】変更
【補正の内容】
【０１２５】
これにより、ユーザが意図していない印刷媒体の属性に従って印刷が行われてしまうことを低減させることが可能となる。